(57)【特許請求の範囲】
【請求項１】
主液体を流通又は収容させる主部と、
副液体を流通させるとともに、先端が前記主部に接続された副流路と、
該副流路中の副液体を前記主部に向かって流通させる加圧手段と、
前記副流路における主部との接続部位近傍に配設され、当該副流路を任意に開閉し得る開閉手段と、
を具備し、前記主液体に対する副液体の混合を行わせるとき、前記開閉手段を開状態としつつ前記加圧手段を作動させることにより、前記副液体を副流路から主部に加圧注入させるとともに、前記主液体に対する副液体の混合を行わせないとき、前記開閉手段を閉状態としつつ前記加圧手段を停止させる混合装置において、
前記副流路における前記開閉手段と加圧手段との間から分岐した流路から成り、前記主液体又は副液体を排出し得る排出流路と、
前記主液体に対する副液体の混合を行わせないとき、前記副流路における前記開閉手段と加圧手段との間の流路を前記主部より低い圧力とし得る圧力制御部と、
を備えたことを特徴とする混合装置。
【請求項２】
前記圧力制御部は、前記主液体に対する副液体の混合を行わせるとき、前記副流路における前記開閉手段と加圧手段との間の流路の圧力を前記主部の圧力以上とし得ることを特徴とする請求項１記載の混合装置。
【請求項３】
前記圧力制御部は、先端が大気開放とされた前記排出流路に接続された開閉弁から成ることを特徴とする請求項１又は請求項２記載の混合装置。
【請求項４】
前記開閉弁は、任意タイミングで流路を開閉し得る電磁弁又はリリーフ圧を任意設定可能なリリーフ弁から成ることを特徴とする請求項３記載の混合装置。
【請求項５】
前記開閉弁は、通常時は開状態とされ且つ任意タイミングの通電により閉状態とされ得る電磁弁から成り、且つ、前記主液体に対する副液体の混合を行わせるとき、当該電磁弁及び加圧手段に対する通電を行うとともに、前記主液体に対する副液体の混合を行わせないとき、当該電磁弁及び加圧手段に対する通電を停止することを特徴とする請求項３記載の混合装置。
【請求項６】
前記開閉手段は、前記副流路に接続された背圧弁又は逆止弁から成り、前記主部に向かう液体の流通を許容しつつその反対方向に向かう液体の流通を規制することを特徴とする請求項１〜５の何れか１つに記載の混合装置。
【請求項７】
前記開閉手段及び圧力制御部は、前記副流路における前記排出流路との分岐部に配設された三方弁から成り、前記主液体に対する副液体の混合を行わせるとき、当該副流路における前記加圧手段から主部に向かう流路が開状態とされ且つ前記排出流路に向かう流路が閉状態とされるとともに、前記主液体に対する副液体の混合を行わせないとき、当該副流路における前記加圧手段から主部に向かう流路が閉状態とされ且つ前記排出流路に向かう流路が開状態とされることを特徴とする請求項１〜５の何れか１つに記載の混合装置。
【請求項８】
前記排出流路には、前記主液体を検知する主液体検知手段が配設されたことを特徴とする請求項１〜７の何れか１つに記載の混合装置。
【請求項９】
前記排出流路には、液体の流量を検知する液体流量検知手段が配設されたことを特徴とする請求項１〜８の何れか１つに記載の混合装置。
【請求項１０】
前記主部には、前記副液体を検知する副液体検知手段が配設されたことを特徴とする請求項１〜９の何れか１つに記載の混合装置。
【請求項１１】
前記主液体に対する副液体の混合を行わせた後、前記圧力制御部にて前記副流路における前記開閉手段と加圧手段との間の流路を前記主部より低い圧力とするとともに前記加圧手段を作動させ、前記副液体検知手段による副液体の検知の有無を判定可能とされたことを特徴とする請求項１０記載の混合装置。
【請求項１２】
前記副液体は、前記主部を消毒するための消毒液から成ることを特徴とする請求項１〜１１の何れか１つに記載の混合装置。
【請求項１３】
前記主部は、患者の血液を浄化するための透析液、透析液原液又はこれら透析液若しくは透析液原液を作製するための清浄水を流通又は収容させるための流路又は収容手段から成るとともに、前記主液体は、前記消毒液を希釈して所定濃度の消毒液を作製するための希釈水から成ることを特徴とする請求項１２記載の混合装置。
【発明の詳細な説明】
【技術分野】
【０００１】
本発明は、主液体に対する副液体の混合を行わせるとき、開閉手段を開状態としつつ加圧手段を作動させることにより、副液体を副流路から主部に加圧注入させるとともに、主液体に対する副液体の混合を行わせないとき、開閉手段を閉状態としつつ加圧手段を停止させる混合装置に関するものである。
【背景技術】
【０００２】
透析治療は、血液回路で患者の血液を体外循環させるとともに、該血液回路に接続されたダイアライザにて当該血液中の老廃物等を除去することにより行われ、かかるダイアライザには、透析液原液を希釈液にて希釈することにより所望の濃度に調製された透析液が供給される。例えば、セントラルシステム型と称される透析システムには、ダイアライザを具備して患者に透析治療を施すための監視装置の他、清浄水（希釈水又は洗浄水）を作製し得る水処理装置、透析液原液を作製し得る溶解装置、透析液を作製して監視装置に送液し得る透析液供給装置が配設される。
【０００３】
しかるに、これら透析システムに関わる個々の装置には、透析液、透析用原液或いは清浄水を流通させるための配管が配設されており、通常、治療が行われていない所定時間において、当該配管を消毒するための消毒工程が行われるようになっている。例えば透析液供給装置における配管を消毒し得る技術として、給水源からの水（これを「主液体」と称する）が流通する流路（これを「主部」と称する）に対し、消毒液（これを「副液体」と称する）を流通させ得る流路（これを「副流路」と称する）の先端を接続させ、当該副流路における主部との合流部近傍に電磁弁（これを「開閉手段」と称する）及びポンプ（これを「加圧手段」と称する）を具備した混合装置を配設したものが挙げられる（特許文献１参照）。
【０００４】
そして、消毒時以外（治療時等）の際には、開閉手段を閉状態としつつ加圧手段を停止させた状態とする一方、配管の消毒を行わせる際には、開閉手段を開状態としつつ加圧手段を作動させ、主部に対して副液体を注入して主液体と混合させて所定濃度の消毒液を作製し、その消毒液を配管にて流通させることにより消毒工程が行われるようになっている。しかして、開閉手段が閉状態とされていれば、消毒時以外の際に副液体が主部に至ってしまうのを防止することができる。
【先行技術文献】
【特許文献】
【０００５】
【特許文献１】特開昭６３−３８４６６号公報
【発明の概要】
【発明が解決しようとする課題】
【０００６】
しかしながら、上記従来の混合装置においては、副液体が流通する副流路に開閉手段が配設され、当該開閉手段の開閉により副液体が主部内に注入されて主液体との混合が可能とされているので、開閉手段に故障等が生じた場合、意図せず主部に副液体が混入してしまう虞があった。また、加圧手段が故障等により誤動作した際、開閉手段或いは副流路を破損させてしまう虞もあった。なお、これら問題は、上記従来技術の如く透析液供給装置における混合装置に限らず、他の装置（透析システムを構成する他の装置に限らず、主部に対して副液体を注入させて主液体と混合させる混合装置全般）に共通したものである。
【０００７】
本発明は、このような事情に鑑みてなされたもので、開閉手段に故障等が生じたとしても意図せず主部に副液体が混入してしまうのを確実に防止することができるとともに、加圧手段に故障等が生じて誤動作したとしても当該開閉手段や副流路が破損してしまうのを防止することができる混合装置を提供することにある。
【課題を解決するための手段】
【０００８】
請求項１記載の発明は、主液体を流通又は収容させる主部と、副液体を流通させるとともに、先端が前記主部に接続された副流路と、該副流路中の副液体を前記主部に向かって流通させる加圧手段と、前記副流路における主部との接続部位近傍に配設され、当該副流路を任意に開閉し得る開閉手段とを具備し、前記主液体に対する副液体の混合を行わせるとき、前記開閉手段を開状態としつつ前記加圧手段を作動させることにより、前記副液体を副流路から主部に加圧注入させるとともに、前記主液体に対する副液体の混合を行わせないとき、前記開閉手段を閉状態としつつ前記加圧手段を停止させる混合装置において、前記副流路における前記開閉手段と加圧手段との間から分岐した流路から成り、前記主液体又は副液体を排出し得る排出流路と、前記主液体に対する副液体の混合を行わせないとき、前記副流路における前記開閉手段と加圧手段との間の流路を前記主部より低い圧力とし得る圧力制御部とを備えたことを特徴とする。
【０００９】
請求項２記載の発明は、請求項１記載の混合装置において、前記圧力制御部は、前記主液体に対する副液体の混合を行わせるとき、前記副流路における前記開閉手段と加圧手段との間の流路の圧力を前記主部の圧力以上とし得ることを特徴とする。
【００１０】
請求項３記載の発明は、請求項１又は請求項２記載の混合装置において、前記圧力制御部は、先端が大気開放とされた前記排出流路に接続された開閉弁から成ることを特徴とする。
【００１１】
請求項４記載の発明は、請求項３記載の混合装置において、前記開閉弁は、任意タイミングで流路を開閉し得る電磁弁又はリリーフ圧を任意設定可能なリリーフ弁から成ることを特徴とする。
【００１２】
請求項５記載の発明は、請求項３記載の混合装置において、前記開閉弁は、通常時は開状態とされ且つ任意タイミングの通電により閉状態とされ得る電磁弁から成り、且つ、前記主液体に対する副液体の混合を行わせるとき、当該電磁弁及び加圧手段に対する通電を行うとともに、前記主液体に対する副液体の混合を行わせないとき、当該電磁弁及び加圧手段に対する通電を停止することを特徴とする。
【００１３】
請求項６記載の発明は、請求項１〜５の何れか１つに記載の混合装置において、前記開閉手段は、前記副流路に接続された背圧弁又は逆止弁から成り、前記主部に向かう液体の流通を許容しつつその反対方向に向かう液体の流通を規制することを特徴とする。
【００１４】
請求項７記載の発明は、請求項１〜５の何れか１つに記載の混合装置において、前記開閉手段及び圧力制御部は、前記副流路における前記排出流路との分岐部に配設された三方弁から成り、前記主液体に対する副液体の混合を行わせるとき、当該副流路における前記加圧手段から主部に向かう流路が開状態とされ且つ前記排出流路に向かう流路が閉状態とされるとともに、前記主液体に対する副液体の混合を行わせないとき、当該副流路における前記加圧手段から主部に向かう流路が閉状態とされ且つ前記排出流路に向かう流路が開状態とされることを特徴とする。
【００１５】
請求項８記載の発明は、請求項１〜７の何れか１つに記載の混合装置において、前記排出流路には、前記主液体を検知する主液体検知手段が配設されたことを特徴とする。
【００１６】
請求項９記載の発明は、請求項１〜８の何れか１つに記載の混合装置において、前記排出流路には、液体の流量を検知する液体流量検知手段が配設されたことを特徴とする。
【００１７】
請求項１０記載の発明は、請求項１〜９の何れか１つに記載の混合装置において、前記主部には、前記副液体を検知する副液体検知手段が配設されたことを特徴とする。
【００１８】
請求項１１記載の発明は、請求項１０記載の混合装置において、前記主液体に対する副液体の混合を行わせた後、前記圧力制御部にて前記副流路における前記開閉手段と加圧手段との間の流路を前記主部より低い圧力とするとともに前記加圧手段を作動させ、前記副液体検知手段による副液体の検知の有無を判定可能とされたことを特徴とする。
【００１９】
請求項１２記載の発明は、請求項１〜１１の何れか１つに記載の混合装置において、前記副液体は、前記主部を消毒するための消毒液から成ることを特徴とする。
【００２０】
請求項１３記載の発明は、請求項１２記載の混合装置において、前記主部は、患者の血液を浄化するための透析液、透析液原液又はこれら透析液若しくは透析液原液を作製するための清浄水を流通又は収容させるための流路又は収容手段から成るとともに、前記主液体は、前記消毒液を希釈して所定濃度の消毒液を作製するための希釈水から成ることを特徴とする。
【発明の効果】
【００２１】
請求項１の発明によれば、副流路における開閉手段と加圧手段との間から分岐した流路から成り、主液体又は副液体を排出し得る排出流路と、主液体に対する副液体の混合を行わせないとき、副流路における開閉手段と加圧手段との間の流路を主部より低い圧力とし得る圧力制御部とを備えたので、開閉手段に故障等が生じたとしても意図せず主部に副液体が混入してしまうのを確実に防止することができるとともに、加圧手段に故障等が生じて誤動作したとしても当該開閉手段や副流路が破損してしまうのを防止することができる。
【００２２】
請求項２の発明によれば、圧力制御部は、主液体に対する副液体の混合を行わせるとき、副流路における開閉手段と加圧手段との間の流路の圧力を主部の圧力以上とし得るので、副液体の主部に対する注入を確実且つ円滑に行わせることができ、副液体と主液体との混合を良好に行わせることができる。
【００２３】
請求項３の発明によれば、圧力制御部は、先端が大気開放とされた排出流路に接続された開閉弁から成るので、圧力制御部を簡単な構成のものとすることができ、開閉手段に故障等が生じたとしても意図せず主部に副液体が混入してしまうのをより一層確実に防止することができるとともに、加圧手段に故障等が生じて誤動作したとしても当該開閉手段や副流路が破損してしまうのをより一層確実に防止することができる。
【００２４】
請求項４の発明によれば、開閉弁は、任意タイミングで流路を開閉し得る電磁弁又はリリーフ圧を任意設定可能なリリーフ弁から成るので、より簡単な構成の圧力制御部とすることができる。
【００２５】
請求項５の発明によれば、主液体に対する副液体の混合を行わせるとき、電磁弁及び加圧手段に対する通電を行うとともに、主液体に対する副液体の混合を行わせないとき、当該電磁弁及び加圧手段に対する通電を停止するので、主液体に対する副液体の混合を行わせないときの電磁弁及び加圧手段に対する給電を停止させることができ、ランニングコストを低減させることができる。また、停電等により電磁弁及び加圧手段に対する給電が不用意に停止した際、主液体に対する副液体の混合を行わせない状態（加圧手段が停止し且つ副流路における開閉手段と加圧手段との間の流路が主部より低い圧力）となるので、安全性を向上させることができる。
【００２６】
請求項６の発明によれば、開閉手段は、副流路に接続された背圧弁又は逆止弁から成り、主部に向かう液体の流通を許容しつつその反対方向に向かう液体の流通を規制するので、開閉手段に対する通電等を行う必要がなく、主液体に対する副液体の混合を行わせるときと主液体に対する副液体の混合を行わせないときのとの切り換時に開閉手段に対する操作を不要とすることができる。
【００２７】
請求項７の発明によれば、開閉手段及び圧力制御部は、副流路における排出流路との分岐部に配設された三方弁から成り、主液体に対する副液体の混合を行わせるとき、当該副流路における加圧手段から主部に向かう流路が開状態とされ且つ排出流路に向かう流路が閉状態とされるとともに、主液体に対する副液体の混合を行わせないとき、当該副流路における加圧手段から主部に向かう流路が閉状態とされ且つ排出流路に向かう流路が開状態とされるので、開閉手段と圧力制御部とのそれぞれを形成したものに比べ、部品点数を削減することができるとともに、主液体に対する副液体の混合を行わせるときと主液体に対する副液体の混合を行わせないときのとの切り換え操作をより容易に行わせることができる。
【００２８】
請求項８の発明によれば、排出流路には、主液体を検知する主液体検知手段が配設されたので、主液体に対する副液体の混合を行わせないとき、開閉手段の故障等により排出流路に主液体が漏れたことを検知することができる。
【００２９】
請求項９の発明によれば、排出流路には、液体の流量を検知する液体流量検知手段が配設されたので、開閉手段又は加圧手段の故障等により意図せず排出流路を主液体又は副液体が流れてしまうことを検知することができる。
【００３０】
請求項１０の発明によれば、主部には、副液体を検知する副液体検知手段が配設されたので、主液体に対する副液体の混合を行わせるときは、正常に副液体が注入されていることを検知することができるとともに、主液体に対する副液体の混合を行わせないときは、開閉手段及び圧力制御部の故障等により主部に副液体が至ってしまうのを検知することができ、安全性をより向上させることができる。
【００３１】
請求項１１の発明によれば、主液体に対する副液体の混合を行わせた後、圧力制御部にて副流路における開閉手段と加圧手段との間の流路を主部より低い圧力とするとともに加圧手段を作動させ、副液体検知手段による副液体の検知の有無を判定可能とされたので、圧力制御部に対する自己診断を行わせることができ、装置の信頼性をより向上させることができる。
【００３２】
請求項１２の発明によれば、副液体は、主部を消毒するための消毒液から成るので、消毒時において主液体に対する消毒液の混合をより円滑に行わせることができるとともに、消毒時以外において主液体に消毒液が混合してしまうのをより確実に防止することができる。
【００３３】
請求項１３の発明によれば、主部は、患者の血液を浄化するための透析液、透析液原液又はこれら透析液若しくは透析液原液を作製するための清浄水を流通又は収容させるための流路又は収容手段から成るとともに、主液体は、消毒液を希釈して所定濃度の消毒液を作製するための希釈水から成るので、消毒時において希釈水に対する消毒液の混合をより円滑に行わせることができるとともに、消毒時以外において透析液、透析液原液又はこれら透析液若しくは透析液原液を作製するための清浄水に消毒液が混合してしまうのをより確実に防止することができる。
【図面の簡単な説明】
【００３４】
【図１】本発明の実施形態に係る混合装置が適用される血液浄化システムを示す模式図
【図２】適用される血液浄化システムを構成する監視装置の内部構成を示すブロック図
【図３】適用される血液浄化システムを構成する溶解装置の内部構成を示すブロック図
【図４】本発明の第１の実施形態に係る混合装置を示す拡大模式図
【図５】本発明の他の実施形態に係る混合装置を示す模式図
【図６】本発明の更に他の実施形態に係る混合装置を示す模式図
【図７】本発明の第２の実施形態に係る混合装置を示す拡大模式図
【図８】本発明の混合装置を示す概念図
【図９】本発明に係る混合装置を他の形態に適用したものを示す概念図
【発明を実施するための形態】
【００３５】
以下、本発明の実施形態について図面を参照しながら具体的に説明する。
本実施形態に係る混合装置は、透析液原液から所定濃度の透析液を作製するとともに、その透析液を複数の透析用監視装置に供給するための血液浄化システムに適用されたものである。その適用される血液浄化システムは、図１に示すように、病院等医療現場における透析室Ａ（治療室）に設置された複数の監視装置１と、当該医療現場における透析室Ａとは別の場所である機械室Ｂに設置された透析液供給装置２、溶解装置３及び水処理装置４とから主に構成される。
【００３６】
監視装置１（血液浄化手段）は、患者に血液浄化治療（血液透析治療）を施すためのダイアライザ５（血液浄化器）が取り付けられ、透析液供給装置２から供給された透析液を当該ダイアライザ５に供給するためのもので、透析室Ａに複数設置されている。かかる監視装置１は、血液透析治療や他の制御内容（洗浄又は消毒）の指示及び所定の表示を行わせ得るタッチパネル１ａが配設されている。
【００３７】
より具体的には、透析室Ａに設置された複数の監視装置１の各々は、図２に示すように、透析液供給装置２から延設された配管Ｌ１が引き込まれるとともに、図示しない排液手段に接続された配管Ｌ２を具備し、これら配管Ｌ１、Ｌ２に跨って複式ポンプ７が配設されて構成されている。なお、監視装置１内における配管Ｌ１には、当該配管Ｌ１を流れる液体の流量を検出する流量検出センサ、当該液体の給液圧を検出する液圧検出センサ、及び当該液体の電導度（濃度）を検出する電導度検出センサ（何れも不図示）等が配設されている。
【００３８】
また、複式ポンプ７からは、配管Ｌ１と連通した透析液導入ラインＬ４と、配管Ｌ２と連通した透析液排出ラインＬ５が延設されており、カプラＣを介して当該透析液導入ラインＬ４の先端をダイアライザ５の透析液導入口５ａに接続し得るとともに、カプラＣを介して当該透析液排出ラインＬ５の先端をダイアライザ５の透析液排出口５ｂに接続し得るよう構成されている。このように、各監視装置１には、それぞれ患者に応じたダイアライザ５が取り付けられるようになっており、当該ダイアライザ５には、患者の血液を体外循環させる血液回路６が接続されることとなる。
【００３９】
複式ポンプ７のポンプ室は、図示しない単一のプランジャにより、配管Ｌ１に接続された送液側ポンプ室と、配管Ｌ２に接続された排出側ポンプ室とに隔成されており、当該プランジャが往復動することにより、送液側ポンプ室に送られた透析液又は洗浄液をダイアライザ５に供給するとともに、ダイアライザ５内の透析液を排出側ポンプ室に吸入するよう構成されている。さらに、監視装置１内には、複式ポンプ７をバイパスしつつ配管Ｌ２と透析液排出ラインＬ５とを連通する配管Ｌ３が形成されており、この配管Ｌ３の途中に除水ポンプＰｃが配設されている。かかる除水ポンプＰｃを駆動させることにより、ダイアライザ５内を流れる患者の血液に対して除水を行わせることが可能とされる。
【００４０】
なお、複式ポンプ７に代えて、所謂チャンバ形式のものとしてもよいとともに、流量検出センサ、液圧検出センサ或いは電導度検出センサ等のセンサ類は、任意のものを配設してもよく若しくは他の汎用的なものを加えるようにしてもよい。さらに、本実施形態においては、当該センサ類を配管Ｌ１に配設するようにしているが、他の配管（例えば配管Ｌ２）に配設するものとしてもよい。
【００４１】
水処理装置４は、内部に濾過膜等を内在したモジュール（浄化濾過器）を具備し、原水を浄化して清浄水（ＲＯ水）を得るためのものである。かかる水処理装置４で得られた清浄水は、透析液供給装置２にて透析液を作製する際に用いられたり或いは当該透析液供給装置２や監視装置１の配管等を洗浄する洗浄水としても用いられる。なお、水処理装置４を図示しない個人用透析装置と連結し、当該個人用透析装置に清浄水を供給するよう構成してもよい。
【００４２】
また、水処理装置４は、水処理に関する制御内容の指示及び所定の表示を行わせ得るタッチパネル４ａが配設されている。そして、透析液供給装置２等から所定の制御信号を受信すると、その制御信号に基づいて所定の動作（清浄水の作製等）が行われるようになっている。なお、水処理装置４は、配管Ｌ６、Ｌ７を介して溶解装置３及び透析液供給装置２と接続されており、得られた清浄水を当該溶解装置３及び透析液供給装置２に供給し得るよう構成されている。
【００４３】
溶解装置３は、例えば所定量の透析用粉体薬剤が投入されるとともに、その透析用粉体薬剤と水処理装置４から供給された清浄水とを混合（ミキシング）して所定濃度の透析液原液を作製するためのものである。この溶解装置３は、透析液原液作製に関する制御内容の指示及び所定の表示を行わせ得るタッチパネル３ａが配設されている。そして、透析液供給装置２等から所定の制御信号を受信すると、その制御信号に基づいて所定の動作（透析液原液の作製等）が行われるようになっている。なお、溶解装置３は、配管Ｌ６を介して透析液供給装置２と接続されており、作製された透析液原液を透析液供給装置２に供給し得るよう構成されている。
【００４４】
透析用供給装置２は、水処理装置４で得られた清浄水及び溶解装置３で作製された透析液原液を用いて所定濃度の透析液を作製し得るとともに、監視装置１のそれぞれに作製した透析液を供給可能なものである。すなわち、透析用供給装置２は、配管Ｌ１を介して複数の監視装置１のそれぞれと接続されており、かかる配管Ｌ１を介して監視装置１のそれぞれに透析液、洗浄水及び消毒液等の所望の液体を供給し得るよう構成されているのである。なお、透析用供給装置２には、透析液供給や洗浄又は消毒に関する制御内容の指示及び所定の表示を行わせ得るタッチパネル２ａが配設されている。
【００４５】
ここで、第１の実施形態に適用される溶解装置３は、図３に示すように、重炭素ナトリウムを含まない薬剤（Ａ剤）を粉末化した透析用粉末薬剤を収容した収容手段８と、重炭酸ナトリウムから成る薬剤（Ｂ剤）を粉末化した透析用粉末薬剤を収容した収容手段９とが取り付けられるとともに、透析用粉末薬剤を溶解して透析液原液を作製する溶解槽１０、１２と、該溶解槽１０、１２にて生成した透析液原液を一時的に収容する貯槽１１、１３とを具備したものである。
【００４６】
具体的には、配管Ｌ８を介して水処理装置４と接続された配管Ｌ２０（主部）を有するとともに、当該配管Ｌ２０を溶解槽１０に連結させる配管Ｌ９と、当該配管Ｌ２０を溶解槽１２に連結させる配管Ｌ１３とを具備している。これら配管Ｌ９及びＬ１３には、それぞれ電磁弁Ｖｃ、Ｖｄが配設されており、これら電磁弁Ｖｃ及びＶｄを選択的に開閉することにより、水処理装置４から送液された清浄水を溶解槽１０又は溶解槽１２に選択的に送ることが可能とされている。
【００４７】
溶解槽１０と貯槽１１とは上下に配設されるとともに配管Ｌ１１にて互いに接続されており、当該配管Ｌ１１の途中からは配管Ｌ１２が分岐している。かかる配管１２は、その途中にポンプＰａが配設されるとともに、先端部が収容手段８の開口から挿入されている。当該配管Ｌ１１における配管Ｌ１２との分岐部より下流側（貯槽１１側）には、電磁弁Ｖａが配設されている。また、溶解槽１０の上部からは配管Ｌ１０が延設されており、その先端部が収容手段８の開口から挿入されている。
【００４８】
同様に、溶解槽１２と貯槽１３とは上下に配設されるとともに配管Ｌ１５にて互いに接続されており、当該配管Ｌ１５の途中からは配管Ｌ１６が分岐している。かかる配管１６は、その途中にポンプＰｂが配設されるとともに、先端部が収容手段９の開口から挿入されている。当該配管Ｌ１５における配管Ｌ１６との分岐部より下流側（貯槽１３側）には、電磁弁Ｖｂが配設されている。また、溶解槽１２の上部からは配管Ｌ１４が延設されており、その先端部が収容手段９の開口から挿入されている。
【００４９】
そして、Ａ剤から成る透析用粉末薬剤から透析液原液を作製するには、電磁弁Ｖｃを開状態且つ電磁弁Ｖｄを閉状態として配管Ｌ２０及びＬ９を介して清浄水を溶解槽１０に供給するとともに、電磁弁Ｖａを閉状態としつつポンプＰａを駆動させて、溶解槽１０に供給された清浄水と収容手段８内のＡ剤とを混合しつつ当該溶解槽１０と収容手段８との間で循環させる。その後、溶解槽１０内の液体（透析液原液）が所定量に達したことを検知すると、ポンプＰａの駆動を停止し、電磁弁Ｖａを開状態とする。これにより、溶解槽１０にて作製された透析液原液が配管Ｌ１１を介して貯槽１１に落下し、当該貯槽１１内にて一時的に収容されることとなる。
【００５０】
一方、Ｂ剤から成る透析用粉末薬剤から透析液原液を作製するには、電磁弁Ｖｃを閉状態且つ電磁弁Ｖｄを開状態として配管Ｌ２０及びＬ１３を介して清浄水を溶解槽１２に供給するとともに、電磁弁Ｖｂを閉状態としつつポンプＰｂを駆動させて、溶解槽１２に供給された清浄水と収容手段９内のＢ剤とを混合しつつ当該溶解槽１２と収容手段９との間で循環させる。その後、溶解槽１２内の液体（透析液原液）が所定量に達したことを検知すると、ポンプＰｂの駆動を停止し、電磁弁Ｖｂを開状態とする。これにより、溶解槽１２にて作製された透析液原液が配管Ｌ１５を介して貯槽１３に落下し、当該貯槽１３内にて一時的に収容されることとなる。しかして、貯槽１１及び貯槽１３の下部は、配管Ｌ６と接続されており、当該貯槽１１、１３にて収容された透析液原液が配管Ｌ６を介して透析液供給装置２に供給可能とされている。
【００５１】
さらに、溶解装置３には、希釈水に対して消毒液を注入して混合し得る混合装置が配設されている。本発明の第１の実施形態に係る混合装置は、図３及び図４に示すように、希釈水（主液体：清浄水）を流通させる配管Ｌ２０（主部）と、消毒液（副液体）を収容する収容手段１４に基端が接続されて当該消毒液を流通させるとともに、先端が配管Ｌ２０の所定部位に接続された配管Ｌ１７（副流路）と、該配管Ｌ１７中の消毒液を配管Ｌ２０に向かって流通させる加圧ポンプ１５（加圧手段）と、配管Ｌ１７における配管Ｌ２０との接続部位Ｐ１近傍に配設され、当該配管Ｌ１７を任意に開閉し得る背圧弁１６（開閉手段）とを具備したものである。
【００５２】
背圧弁１６は、配管Ｌ１７において、配管Ｌ２０に向かう液体（消毒液）の流通を許容しつつその反対方向に向かう液体（消毒液又は希釈水）の流通を規制するものであり、例えばスプリング等による付勢力にて弁が閉状態とされ、当該弁に付与される配管Ｌ２０に向かう液体の圧力が所定値に達すると、弁が付勢力に抗して開状態となり、その液体の流通が可能とされるよう構成されている。なお、本実施形態に係る消毒液は、次亜塩素酸ナトリウムとされているが、他の組成の消毒液を用いるようにしてもよい。また、背圧弁１６に代えて逆止弁（開閉手段）としてもよい。
【００５３】
しかして、希釈水（配管Ｌ２０を流通する清浄水）に対する消毒液の混合を行わせるとき、背圧弁１６（又は逆止弁）を開状態としつつ加圧ポンプ１５を作動させる（本実施形態においては、加圧ポンプ１５を作動させて消毒液の圧力を上昇させることにより、背圧弁１６を開状態とする）ことにより、消毒液を配管Ｌ１７から配管Ｌ２０に加圧注入させるとともに、希釈水に対する消毒液の混合を行わせないとき、背圧弁１６（又は逆止弁）を閉状態としつつ加圧ポンプ１５を停止させる（本実施形態においては、加圧ポンプ１５を停止させて消毒液の圧力を下降させることにより、背圧弁１６を閉状態とする）よう構成されている。
【００５４】
本実施形態に係る加圧ポンプ１５は、吸入側及び吐出側にそれぞれ逆止弁を有した内部構造のダイヤフラムポンプから成るものとされており、背圧弁１６等の開閉手段に漏れ等の異常が生じた場合であっても、配管Ｌ２０を流れる希釈水（主液体）が収容手段１４内に至るのを防止し得るようになっている。なお、かかるダイヤフラムポンプに代えて、他の形態のもの（例えば逆止構造を有さない容積型ポンプ等）としてもよい。
【００５５】
ここで、本実施形態に係る混合装置は、配管Ｌ１７における背圧弁１６と加圧ポンプ１５との間の分岐部Ｐ２から分岐した流路（配管）から成り、希釈水又は消毒液を排出し得る排出流路Ｌ１８と、希釈水に対する消毒液の混合を行わせないとき、配管Ｌ１７における背圧弁１６と加圧ポンプ１５との間の流路を配管Ｌ２０より低い圧力とし得るとともに、希釈水に対する消毒液の混合を行わせるとき、配管Ｌ１７における背圧弁１６と加圧ポンプ１５との間の流路を配管Ｌ２０より高い圧力とし得る圧力制御部としての電磁弁１７（開閉弁）とを備えている。なお、本実施形態においては、排出流路Ｌ１８の先端は、大気開放とされているとともに、当該先端の下部には、当該排出流路Ｌ１８から排出された液体（希釈水又は消毒液等）を受け得る受け部材１８と、該受け部材１８内の液体を排出する排出部Ｌ１９とが形成されている。
【００５６】
しかして、消毒時以外（希釈水に対する消毒液の混合を行わせないとき）においては、、加圧ポンプ１５を停止させて背圧弁１６を閉状態とすることにより、収容手段１４内の消毒液が配管Ｌ２０に至るのを遮断するとともに、電磁弁１７を開状態とすることにより、配管Ｌ１７における背圧弁１６と加圧ポンプ１５との間の流路が配管Ｌ２０内の流路より低い圧力となるよう制御される。これにより、例えば背圧弁１６が故障して流路の閉塞が不十分な状態となったとしても、収容手段１４内の消毒液は排出流路Ｌ１８から外部に排出されることとなり、当該消毒液が配管Ｌ２０内の希釈水に拡散してしまうのを確実に防止することができる。
【００５７】
また、消毒時（希釈水に対する消毒液の混合を行わせるとき）においては、加圧ポンプ１５を作動させて背圧弁１６を開状態とするとともに、電磁弁１７を閉状態とすることにより、配管Ｌ１７における背圧弁１６と加圧ポンプ１５との間の流路が配管Ｌ２０内の流路より高い圧力となるよう制御される。これにより、収容手段１４内の消毒液を配管Ｌ１７から配管Ｌ２０に加圧注入させることができるので、希釈水で希釈された消毒液が溶解装置３内の配管を流通して消毒がなされることとなる。
【００５８】
特に、本実施形態に係る開閉弁としての電磁弁１７は、通常時は開状態とされ且つ任意タイミングの通電により閉状態とされ得るものとされている。すなわち、本実施形態においては、希釈水に対する消毒液の混合を行わせるとき、当該電磁弁１７及び加圧ポンプ１５に対する通電を行うとともに、希釈水に対する消毒液の混合を行わせないとき、当該電磁弁１７及び加圧ポンプ１５に対する通電を停止するよう構成されているのである。
【００５９】
これにより、希釈水に対する消毒液の混合を行わせるとき、電磁弁１７及び加圧ポンプ１５に対する通電を行うとともに、希釈水に対する消毒液の混合を行わせないとき、当該電磁弁１７及び加圧ポンプ１５に対する通電を停止するので、希釈水に対する消毒液の混合を行わせないときの電磁弁１７及び加圧ポンプ１５に対する給電を停止させることができ、ランニングコストを低減させることができる。また、停電等により電磁弁１７及び加圧ポンプ１５に対する給電が不用意に停止した際、希釈水に対する消毒液の混合を行わせない状態（加圧ポンプ１５が停止し且つ配管Ｌ１７における背圧弁１６と加圧ポンプ１５との間の流路が配管Ｌ２０より低い圧力）となるので、安全性を向上させることができる。
【００６０】
なお、本実施形態においては、圧力制御部として、通電により任意タイミングで流路（排出流路Ｌ１８）を開閉し得る電磁弁１７を用いているが、先端が大気開放とされた排出流路Ｌ１８に接続された開閉弁から成るものであれば足り、当該電磁弁１７に代えて、リリーフ圧を任意設定可能なリリーフ弁から成るもの等としてもよい。このように、開閉弁を任意タイミングで流路を開閉し得る電磁弁又はリリーフ圧を任意設定可能なリリーフ弁から成るものとすれば、より簡単な構成の圧力制御部とすることができる。
【００６１】
また、本実施形態に係る配管Ｌ２０における配管Ｌ１７との接続部位Ｐ１より下流側には、消毒液を検知し得る電導度センサ１９（副液体検知手段）が配設されている。すなわち、電導度センサ１９は、配管Ｌ２０を流れる液体の電導度を検出することにより、その液体に消毒液が混入しているか否かを検知可能なもので、これにより、希釈水に対する消毒液の混合を行わせるときは、正常に消毒液が注入されていることを検知することができるとともに、希釈水に対する消毒液の混合を行わせないときは、背圧弁１６（開閉手段）及び電磁弁１７（圧力制御部）の故障等により配管Ｌ２０に消毒液が至ってしまうのを検知することができ、安全性をより向上させることができる。なお、当該電導度センサ１９に代えて、消毒液を検知し得る他の形態の副液体検知手段としてもよい。
【００６２】
さらに、本実施形態においては、希釈水に対する消毒液の混合を行わせた後（すなわち、消毒工程後）、電磁弁１７を開状態として配管Ｌ１７における背圧弁１６と加圧ポンプ１５との間の流路を配管Ｌ２０内の流路より低い圧力とするとともに加圧ポンプ１５を作動させ、電導度センサ１９（副液体検知手段）による消毒液の検知の有無を判定可能な構成とされている。これにより、圧力制御部に対する自己診断（電磁弁１７が動作不良等の不具合を生じているか否かの自己診断）を行わせることができ、装置の信頼性をより向上させることができる。
【００６３】
上記第１の実施形態によれば、配管Ｌ１７における背圧弁１６と加圧ポンプ１５との間から分岐した流路から成り、希釈水又は消毒液を排出し得る排出流路Ｌ１８と、希釈水に対する消毒液の混合を行わせないとき、配管Ｌ１７における背圧弁１６と加圧ポンプ１５との間の流路を配管Ｌ２０より低い圧力とし得る電磁弁１７（圧力制御部）とを備えたので、背圧弁１６に故障等が生じたとしても意図せず配管Ｌ２０に消毒液が混入してしまうのを確実に防止することができる。また、本実施形態によれば、加圧ポンプ１５に故障等が生じて誤動作したとしても、消毒液を排出流路Ｌ１８を介して外部に逃がすことができるので、背圧弁１６や配管Ｌ１７が破損してしまうのを防止することができる。
【００６４】
さらに、本実施形態に係る圧力制御部としての電磁弁１７は、希釈水に対する消毒液の混合を行わせるとき、配管Ｌ１７における背圧弁１６と加圧ポンプ１５との間の流路を配管Ｌ２０内の流路より高い圧力とし得るので、消毒液の配管Ｌ２０に対する注入を確実且つ円滑に行わせることができ、消毒液と希釈水との混合を良好に行わせることができる。また更に、本実施形態に係る圧力制御部は、先端が大気開放とされた排出流路Ｌ１８に接続された電磁弁１７（開閉弁）から成るので、圧力制御部を簡単な構成のものとすることができ、当該電磁弁１７に故障等が生じたとしても意図せず配管Ｌ２０に消毒液が混入してしまうのをより一層確実に防止することができるとともに、加圧ポンプ１５に故障等が生じて誤動作したとしても背圧弁１６や配管Ｌ１７が破損してしまうのをより一層確実に防止することができる。
【００６５】
また、本実施形態に係る開閉手段は、配管Ｌ１７に接続された背圧弁１６（又は逆止弁）から成り、配管Ｌ２０に向かう液体の流通を許容しつつその反対方向に向かう液体の流通を規制するものとされているので、当該背圧弁１６（又は逆止弁）に対する通電等を行う必要がなく、希釈水に対する消毒液の混合を行わせるときと希釈水に対する消毒液の混合を行わせないときのとの切り換時に背圧弁１６（又は逆止弁）に対する操作を不要とすることができる。
【００６６】
しかるに、本実施形態に係る開閉手段は、配管Ｌ１７に接続された背圧弁１６（又は逆止弁）から成るものとされているが、これに代えて、図５に示すように、通電により任意タイミングで流路（配管Ｌ１７）を開閉し得る電磁弁２０としてもよい。かかる電磁弁２０によれば、通電により開閉するものであるため、配管Ｌ１７の開閉を所望のタイミングにて行わせることができる。
【００６７】
また、図６に示すように、排出流路Ｌ１８における電磁弁１７より下流側に、希釈水を検知し得る電導度センサ２１（主液体検知手段）を配設するようにしてもよい。かかる電導度センサ２１に代えて、希釈水を検知し得る他の形態の主液体検知手段としてもよい。これにより、排出流路Ｌ１８には、希釈水を検知する電導度センサ２１が配設されたので、希釈水に対する消毒液の混合を行わせないとき、背圧弁１６（電磁弁２０等の他の開閉手段も同様）の故障等により排出流路Ｌ１８に希釈水が漏れたことを検知することができる。
【００６８】
なお、当該電導度センサ２１に代えて或いは当該電導度センサ２１と共に、液体の流量を検知する液体流量検知手段を配設するようにしてもよい。このように、排出流路Ｌ１８に液体の流量を検知する液体流量検知手段を配設するようにすれば、背圧弁１６（電磁弁２０等の他の開閉手段も同様）又は加圧ポンプ１５の故障等により意図せず排出流路Ｌ１８を希釈水又は消毒液が流れてしまうことを検知することができる。
【００６９】
次に、本発明に係る第２の実施形態について説明する。
本実施形態に係る混合装置は、第１の実施形態と同様、血液浄化システムを構成する溶解装置３に適用されたもので、配管Ｌ２０を流れる希釈水（水処理装置４からの清浄水）に収容手段１４内の消毒液を加圧注入し、所定濃度に希釈された消毒液を溶解装置３の配管にて流通させることにより消毒可能とされたものである。なお、第１の実施形態と同様の構成要素には、同一の符号を付すこととし、それら詳細な説明を省略する。
【００７０】
本実施形態に係る開閉手段及び圧力制御部は、図７に示すように、配管Ｌ１７（副流路）における排出流路Ｌ１８との分岐部に配設された三方弁２２から成り、希釈水（主液体）に対する消毒液（副液体）の混合を行わせるとき、当該配管Ｌ１７における加圧ポンプ１５から配管Ｌ２０（主部）に向かう流路が開状態とされ且つ排出流路Ｌ１８に向かう流路が閉状態とされるとともに、希釈水に対する消毒液の混合を行わせないとき、当該配管Ｌ１７における加圧ポンプ１５から配管Ｌ２０に向かう流路が閉状態とされ且つ排出流路Ｌ１８に向かう流路が開状態とされるものである。すなわち、本実施形態においては、三方弁２２が開閉手段及び圧力制御部を兼用させた構成とされているのである。
【００７１】
より具体的には、本実施形態に係る三方弁２２は、配管Ｌ１７における加圧ポンプ１５から配管Ｌ２０に向かう流路を通常時（非通電時）開状態とし且つ排出流路Ｌ１８に向かう流路を閉状態とする三方電磁弁から成り、通電により、配管Ｌ１７における加圧ポンプ１５から配管Ｌ２０に向かう流路を閉状態とし且つ排出流路Ｌ１８に向かう流路を開状態とするよう構成されている。すなわち、本実施形態に係る三方弁２２は、配管Ｌ１７における加圧ポンプ１５から配管Ｌ２０に向かう流路と、加圧ポンプ１５から排出流路Ｌ１８に向かう流路とが両方とも開状態又は閉状態とならないよう制御されるものである。
【００７２】
しかして、希釈水に対する消毒液の混合を行わせるとき、三方弁２２に対する通電は行われず、当該配管Ｌ１７における加圧ポンプ１５から配管Ｌ２０に向かう流路が開状態とされ且つ排出流路Ｌ１８に向かう流路が閉状態とされるとともに、希釈水に対する消毒液の混合を行わせないとき、当該配管Ｌ１７における加圧ポンプ１５から配管Ｌ２０に向かう流路が閉状態とされ且つ排出流路Ｌ１８に向かう流路が開状態とされる。かかる構成により、希釈水に対する消毒液の混合を行わせないとき、配管Ｌ１７における三方弁２２と加圧ポンプ１５との間の流路を配管Ｌ２０より低い圧力とすることができるとともに、希釈水に対する消毒液の混合を行わせるとき、配管Ｌ１７における背圧弁１６と加圧ポンプ１５との間の流路を配管Ｌ２０より高い圧力とすることができる。
【００７３】
上記第２の実施形態によれば、開閉手段及び圧力制御部は、配管Ｌ１７における排出流路Ｌ１８との分岐部に配設された三方弁２２から成り、希釈水に対する消毒液の混合を行わせるとき、当該配管Ｌ１７における加圧ポンプ１５から配管Ｌ２０に向かう流路が開状態とされ且つ排出流路Ｌ１８に向かう流路が閉状態とされるとともに、希釈水に対する消毒液の混合を行わせないとき、当該配管Ｌ１７における加圧ポンプ１５から配管Ｌ２０に向かう流路が閉状態とされ且つ排出流路Ｌ１８に向かう流路が開状態とされるので、開閉手段と圧力制御部とのそれぞれを形成したものに比べ、部品点数を削減することができるとともに、希釈水に対する消毒液の混合を行わせるときと希釈水に対する消毒液の混合を行わせないときのとの切り換え時、１つの信号で動作させることができることから、当該切り換え操作をより容易に行わせることができる。
【００７４】
また、本実施形態によれば、第１の実施形態と同様、配管Ｌ１７における三方弁２２から分岐した流路から成り、希釈水又は消毒液を排出し得る排出流路Ｌ１８と、希釈水に対する消毒液の混合を行わせないとき、配管Ｌ１７における三方弁２２と加圧ポンプ１５との間の流路を配管Ｌ２０より低い圧力とし得る三方弁２２（圧力制御部）とを備えたので、意図せず配管Ｌ２０に消毒液が混入してしまうのを確実に防止することができる。さらに、本実施形態に係る圧力制御部としての三方弁２２は、希釈水に対する消毒液の混合を行わせるとき、配管Ｌ１７における背圧弁１６と加圧ポンプ１５との間の流路を配管Ｌ２０より高い圧力とし得るので、消毒液の配管Ｌ２０に対する注入を確実且つ円滑に行わせることができ、消毒液と希釈水との混合を良好に行わせることができる。
【００７５】
上記第１の実施形態及び第２の実施形態によれば、副液体は、主部を消毒するための消毒液から成るので、消毒時において主液体（希釈水）に対する消毒液の混合をより円滑に行わせることができるとともに、消毒時以外において主液体に消毒液が混合してしまうのをより確実に防止することができる。
【００７６】
以上、本実施形態について説明したが、本発明はこれらに限定されるものではなく、図８に示すように、主液体を流通させる主流路Ｌａ（主部）と、副液体を流通させるとともに、先端が主流路Ｌａに接続された副流路Ｌｂと、該副流路中の副液体を主流路Ｌａに向かって流通させる加圧手段２３と、副流路Ｌｂにおける主流路Ｌａとの接続部位Ｐ１近傍に配設され、当該副流路Ｌｂを任意に開閉し得る開閉手段２４とを具備し、主液体に対する副液体の混合を行わせるとき、開閉手段２４を開状態としつつ加圧手段２３を作動させることにより、副液体を副流路Ｌｂから主流路Ｌａに加圧注入させるとともに、主液体に対する副液体の混合を行わせないとき、開閉手段２４を閉状態としつつ加圧手段２３を停止させる混合装置において、副流路Ｌｂにおける開閉手段２４と加圧手段２３との間から分岐した流路から成り、主液体又は副液体を排出し得る排出流路Ｌｃと、主液体に対する副液体の混合を行わせないとき、副流路Ｌｂにおける開閉手段２４と加圧手段２３との間の流路を主流路Ｌａより低い圧力とし得る圧力制御部２５とを備えたものであれば足りる。
【００７７】
しかるに、圧力制御部２５は、主液体に対する副液体の混合を行わせるとき、副流路Ｌｂにおける開閉手段２４と加圧手段２３との間の流路を主流路Ｌａより高い圧力とし得るものであれば足り、上記実施形態の如き開閉弁から成るものに代えて、例えば排出流路Ｌｃに接続されたチャンバと、該チャンバ内の圧力（液圧又は気圧）を上昇又は下降可能な圧力調整部とから成るものとしてもよい。さらに、本実施形態に係る圧力制御部は、主液体に対する副液体の混合を行わせるとき、副流路Ｌｂにおける開閉手段２４と加圧手段２３との間の流路を主流路Ｌａより高い圧力とするものとされているが、副流路Ｌｂにおける開閉手段２４と加圧手段２３との間の流路の圧力と主流路Ｌａの圧力とを等しくするものを含む（すなわち、副流路Ｌｂにおける開閉手段２４と加圧手段２３との間の流路の圧力を主流路Ｌａ（後述する収容手段２６も含む）の圧力以上とし得るもの）としてもよい。
【００７８】
また、加圧手段２３は、上記実施形態の如き加圧ポンプ１５に代えて、副液体を主部に向かって加圧注入可能なシリンジ等としてもよい。さらに、本発明においては、主液体を流通させる主流路Ｌａ（主部）に代えて、図９に示すように、主液体を収容させる主部２７としてもよい。なお、図８及び図９中符号２６は、副液体を所定量収容可能な収容手段を示している。
【００７９】
また更に、本実施形態においては、何れも血液浄化システムを構成する溶解装置３に適用されているが、当該血液浄化システムを構成する他の装置（監視装置１、透析液供給装置２又は水処理装置４等）に適用するようにしてもよい。しかして、本発明によれば、主部は、患者の血液を浄化するための透析液、透析液原液又はこれら透析液若しくは透析液原液を作製するための清浄水を流通させるための流路から成るとともに、主液体は、消毒液を希釈して所定濃度の消毒液を作製するための希釈水から成るので、消毒時において希釈水に対する消毒液の混合をより円滑に行わせることができるとともに、消毒時以外において透析液、透析液原液又はこれら透析液若しくは透析液原液を作製するための清浄水に消毒液が混合してしまうのをより確実に防止することができる。なお、血液浄化器（ダイアライザ）が配設された個人用透析装置と、該個人用透析装置に水及び透析液原液を供給し得る種々装置とを具備した血液浄化システムに適用するようにしてもよい。
【００８０】
また、本発明は、血液浄化システムを構成する種々装置に適用するものに限定されず、例えば主液体と副液体との混合を行わせるときと当該混合を行わせないときとの切り換えが必要とされる他の装置（例えば工業製品や部品等を製造するための製造装置やプラント等）に広く適用することができる。勿論、この場合、主液体及び副液体は、異なる二液から成るものであれば、種々のものとすることができる。
【産業上の利用可能性】
【００８１】
副流路における開閉手段と加圧手段との間から分岐した流路から成り、主液体又は副液体を排出し得る排出流路と、主液体に対する副液体の混合を行わせないとき、副流路における開閉手段と加圧手段との間の流路を主部より低い圧力とし得る圧力制御部とを備えた混合装置であれば、他の機能が付加されたもの等にも適用することができる。
【符号の説明】
【００８２】
１  監視装置
２  透析液供給装置
３  溶解装置
４  水処理装置
５  ダイアライザ
６  血液回路
７  複式ポンプ
８  収容手段
９  収容手段
１０  溶解槽
１１  貯槽
１２  溶解槽
１３  貯槽
１４  収容手段
１５  加圧ポンプ（加圧手段）
１６  背圧弁（開閉手段）
１７  電磁弁（開閉弁）
１８  受け部
１９  電導度センサ（副液体検知手段）
２０  電磁弁（開閉手段）
２１  電導度センサ（主液体検知手段）
２２  三方弁
２３  加圧手段
２４  開閉手段
２５  圧力制御部
Ｌ１７  配管（副流路）
Ｌ１８  排出流路
Ｌ２０  配管（主部）
【図１】
0005369140.tif 000002
【図２】
0005369140.tif 000003
【図３】
0005369140.tif 000004
【図４】
0005369140.tif 000005
【図５】
0005369140.tif 000006
【図６】
0005369140.tif 000007
【図７】
0005369140.tif 000008
【図８】
0005369140.tif 000009
【図９】
0005369140.tif 000010